(57)【要約】【課題】  客先の要求に応じて出力波形を調整できる水晶発振器を提供する。【解決手段】  水晶片２と発振回路３とがパッケージ１の凹部に搭載された水晶発振器であって、発振回路３からの信号を外部に出力する出力端子１３の前段に調整用のダンピング抵抗を備え、ダンピング抵抗が、凹部の底面を構成する基板１ａ上に設けられたチップ抵抗５、又は基板１ａの表面に設けられた印刷抵抗６、又は基板１ａの裏面に設けられた印刷抵抗７である水晶発振器としている。【選択図】        図４
2020178259.tif 000002
【特許請求の範囲】
【請求項１】
水晶片と発振回路とがパッケージの凹部に搭載された水晶発振器であって、
前記発振回路からの信号を外部に出力する出力端子の前段に調整用のダンピング抵抗を備え、
前記ダンピング抵抗が、前記凹部の底面を構成する基板に設けられたことを特徴とする水晶発振器。
【請求項２】
ダンピング抵抗が、チップ抵抗であることを特徴とする請求項１記載の水晶発振器。
【請求項３】
ダンピング抵抗が、印刷抵抗であることを特徴とする請求項１記載の水晶発振器。
【請求項４】
印刷抵抗が、パッケージの内部となる基板上面に形成されたことを特徴とする請求項３記載の水晶発振器。
【請求項５】
印刷抵抗が、パッケージの外部となる基板下面に形成されたことを特徴とする請求項３記載の水晶発振器。
【発明の詳細な説明】
【技術分野】
【０００１】
本発明は、表面実装型の水晶発振器に係り、特に客先の要望に合わせて波形を変更できる水晶発振器に関する。
【背景技術】
【０００２】
［先行技術の説明：図６］
従来、パッケージに封入された表面実装型の水晶発振器の出力波形を、客先からの要求によって変えることがある。例えば、直線的な矩形波を丸みのある波形に変える場合等がある。
そのような場合には、発振器と客先回路とを搭載した基板上において、発振器出力と客先回路との間にダンピング抵抗を挿入して、波形を変更するようにしていた。
【０００３】
従来の水晶発振器における波形変更方法を図６を用いて説明する。図６は、従来の水晶発振器における波形変更時の構成を示す説明図である。
図６に示すように、従来の水晶発振器で波形を変更する場合には、水晶発振器４０の出力端子と後段の回路との間にダンピング抵抗４１を挿入する。
ダンピング抵抗４１の抵抗値に応じて、波形を変化させるものである。
【０００４】
［関連技術］
尚、客先の要求に応じて調整を行う従来技術としては、特開２００８−２５８９０１号公報「圧電デバイス」（特許文献１）がある。
特許文献１には、圧電素子に接続する可変容量素子を備えて、客先の要求に応じて可変容量素子を変更することや、圧電素子と可変容量素子との間の接地抵抗を印刷により形成することが記載されている。
【先行技術文献】
【特許文献】
【０００５】
【特許文献１】特開２００８−２５８９０１号公報
【発明の概要】
【発明が解決しようとする課題】
【０００６】
しかしながら、従来の水晶発振器では、客先の要求に応じて出力波形を変更する場合には、客先においてダンピング抵抗の抵抗値を検討しなければならず、煩わしいという問題点があった。
【０００７】
尚、特許文献１には、客先の要求に応じて出力波形を変更するダンピング抵抗を、発振回路と出力端子との間に設け、更にダンピング抵抗をパッケージの基板に備えることは記載されていない。
【０００８】
本発明は上記実状に鑑みて為されたもので、客先の要求に応じて出力波形を調整できる水晶発振器を提供することを目的とする。
【課題を解決するための手段】
【０００９】
上記従来例の問題点を解決するための本発明は、水晶片と発振回路とがパッケージの凹部に搭載された水晶発振器であって、発振回路からの信号を外部に出力する出力端子の前段に調整用のダンピング抵抗を備え、ダンピング抵抗が、凹部の底面を構成する基板に設けられたことを特徴としている。
【００１０】
また、本発明は、上記水晶発振器において、ダンピング抵抗が、チップ抵抗であることを特徴としている。
【００１１】
また、本発明は、上記水晶発振器において、ダンピング抵抗が、印刷抵抗であることを特徴としている。
【００１２】
また、本発明は、上記水晶発振器において、印刷抵抗が、パッケージの内部となる基板上面に形成されたことを特徴としている。
【００１３】
また、本発明は、上記水晶発振器において、印刷抵抗が、パッケージの外部となる基板下面に形成されたことを特徴としている。
【発明の効果】
【００１４】
本発明によれば、水晶片と発振回路とがパッケージの凹部に搭載された水晶発振器であって、発振回路からの信号を外部に出力する出力端子の前段に調整用のダンピング抵抗を備え、ダンピング抵抗が、凹部の底面を構成する基板に設けられたことを特徴しているので、適切な抵抗値のダンピング抵抗を設けることで、客先の要求に合わせて出力波形を調整することができ、客先での作業を軽減して利便性を向上させることができる効果がある。
【００１５】
また、本発明によれば、ダンピング抵抗が、印刷抵抗である上記水晶発振器としているので、パッケージが小型の製品にも適用可能とする効果がある。
【００１６】
また、本発明によれば、印刷抵抗が、パッケージの外部となる基板下面に形成された上記水晶発振器としているので、製品完成後であっても、印刷抵抗をトリミングして微調整することができ、また、パッケージ内部に印刷抵抗用のスペースを必要としないので、一層小型の製品に適用可能とする効果がある。
【図面の簡単な説明】
【００１７】
【図１】第１の水晶発振器の断面説明図である。
【図２】第２の水晶発振器の断面説明図である。
【図３】水晶片を搭載する前の第２の水晶発振器の上面図である。
【図４】第３の水晶発振器の断面説明図である。
【図５】第３の水晶発振器の底面図である。
【図６】従来の水晶発振器における波形変更時の構成を示す説明図である。
【発明を実施するための形態】
【００１８】
本発明の実施の形態について図面を参照しながら説明する。
［実施の形態の概要］
本発明の実施の形態に係る水晶発振器（本水晶発振器）は、水晶片と発振回路とがパッケージの凹部に搭載され、発振回路の出力端子の前段にダンピング抵抗を備え、ダンピング抵抗が、パッケージ凹部の底面を構成する基板に設けられたものであり、客先の要求に応じて出力波形を調整でき、更に、客先で抵抗値を検討する作業を不要とし、利便性を向上させることができるものである。
【００１９】
また、本水晶発振器は、ダンピング抵抗を印刷抵抗で形成し、パッケージ外部となる基板の裏面（下面）に設けたものであり、水晶片及び発振回路がパッケージ内に封入された後でも、トリミングによって微調整することができるものである。
尚、本水晶発振器としては、後述する第１〜第３の水晶発振器がある。
【００２０】
［第１の実施の形態に係る水晶発振器の構成：図１］
本発明の第１の実施の形態に係る水晶発振器（第１の水晶発振器）について図１を用いて説明する。図１は、第１の水晶発振器の断面説明図である。
図１に示すように、第１の水晶発振器１０は、パッケージ１と、水晶片２と、発振回路（ＩＣ）３と、リッド４と、第１の水晶発振器の特徴部分であるチップ抵抗５とを備えている。
【００２１】
パッケージ１は、セラミック等から構成され、凹部を備えている。
パッケージ１は、凹部の底面を構成する基板１ａと、パッケージ１の側面を構成する枠状の基板１ｂとを備え、基板１ａの上に基板１ｂが搭載されて、基板１ｂの内側が凹部となっている。
【００２２】
水晶片２は、表面及び裏面に励振電極が設けられ、パッケージ１の凹部に形成された段差部に導電性接着剤によって接続されている。
ＩＣ３は、凹部内部の基板に形成された電極パターンに半田等によって接続されている。
リッド４は、金属等から成る蓋であり、パッケージ１の上面に搭載されてシームリング（図示せず）によってパッケージ１の上面と接合され、凹部の開口部を封止している。リッド４はパッケージ１の側面に形成された金属パターンを介して、裏面のＧＮＤ端子に接続されている。
【００２３】
チップ抵抗５は、第１の水晶発振器１０の特徴部分であり、ＩＣ３と、ＩＣ３からの信号を外部に出力する出力端子との間に設けられた調整用のダンピング抵抗である。
つまり、チップ抵抗５は、一端が基板１ａ上に設けられた金属パターンによってＩＣ３に接続されると共に、他端が基板１ａに形成されたビアホール（図示せず）等を介してパッケージ１の裏面に設けられた出力端子に接続されるものである。
【００２４】
第１の水晶発振器１０では、出力端子からの信号波形が、客先の要求に合わせた波形となるように、予めダンピング抵抗の抵抗値を実験的に求めておき、適切な抵抗値を持つチップ抵抗５を搭載するようにしている。
【００２５】
これにより、第１の水晶発振器１０は、客先の要求を満たす出力波形となるため、客先において、ダンピング抵抗の抵抗値を検討して外付けする必要がなくなり、利便性を向上させることができるものである。
【００２６】
［第１の実施の形態の効果］
第１の水晶発振器１０によれば、水晶片２発振回路３とがパッケージ１の凹部に搭載され、発振回路３からの信号を外部に出力する出力端子の前段にダンピング抵抗としてのチップ抵抗５を備え、チップ抵抗５が、パッケージ１の凹部底面を構成する基板１ａ上に設けられた水晶発振器としているので、客先の要求に合う出力波形を得ることができ、客先での作業を軽減して利便性を向上させることができる効果がある。
【００２７】
［第２の実施の形態に係る水晶発振器：図２，図３］
次に、本発明の第２の実施の形態に係る水晶発振器（第２の水晶発振器）について図２及び図３を用いて説明する。図２は、第２の水晶発振器の断面説明図であり、図３は、水晶片を搭載する前の第２の水晶発振器の上面図である。
パッケージの大きさに比較的余裕がある製品では、第１の水晶発振器１０のようにダンピング抵抗をチップ抵抗で構成してパッケージ１に内蔵することが可能であるが、パッケージ１が小型の場合には、チップ抵抗ではなく印刷抵抗で構成する。このように、印刷抵抗をパッケージ内部に形成した構成が第２の水晶発振器である。
【００２８】
図２に示すように、第２の水晶発振器２０は、第１の水晶発振器１０と基本的な構成は同様であるが、チップ抵抗５の代わりに印刷抵抗６を設けている点が異なっている。
印刷抵抗６は、導体ペーストを用いて基板１ａの表面に印刷によってパターニングされ、その後焼成して形成されるものである。
印刷抵抗６のパターン形状、ペーストの組成や焼成温度によって、抵抗値を所望の値に調整することが可能となり、客先の要求を満たす出力波形が得られるように形成される。
【００２９】
また、図３に示すように、印刷抵抗６は、パッケージ１の凹部底面（基板１ａの表面（上面））において、ＩＣ３と、水晶片２の表面及び裏面の励振電極に接続される電極１２ａ、１２ｂとの間に形成されている。
【００３０】
そして、図２，３では省略するが、印刷抵抗６は、基板１ａの表面に形成された配線パターンによってＩＣ３に接続すると共に、基板１ａに設けられたビアホール等を介して、基板１ａ裏面の出力端子に接続される。
【００３１】
第２の水晶発振器２０では、水晶片２を搭載する前（図３の状態）又は発振回路３を搭載する前に、印刷抵抗６をトリミングすることで、抵抗値を微調整することが可能である。
【００３２】
［第２の実施の形態の効果］
第２の水晶発振器２０によれば、発振回路３からの信号を外部に出力する出力端子の前段にダンピング抵抗としての印刷抵抗６を備え、印刷抵抗６が、パッケージ１の底面を構成する基板１ａの表面（上面）に印刷パターンとして形成されているので、客先の要求に合う出力波形を得ることができ、客先での作業を軽減して利便性を向上させることができると共に、小型パッケージの製品にも適用することができる効果がある。
【００３３】
［第３の実施の形態に係る水晶発振器：図４，図５］
次に、本発明の第３の実施の形態に係る水晶発振器（第３の水晶発振器）について図４及び図５を用いて説明する。図４は、第３の水晶発振器の断面説明図であり、図５は、第３の水晶発振器の底面図である。
第３の水晶発振器は、ダンピング抵抗としての印刷抵抗を、パッケージの裏面に形成するものである。
図４に示すように、第３の水晶発振器３０は、基本的な構成は第１，第２の水晶発振器と同様であるが、印刷抵抗７をパッケージ１の内側（凹部内）に形成するのではなく、パッケージ１の底面に設けている。尚、図４では発振回路３及び水晶片２を搭載する前の状態を示している。
【００３４】
具体的には、図４に示すように、印刷抵抗７は、基板１ａの下面において、ＩＣ３とほぼ重なる位置に印刷によって形成されている。印刷抵抗７は、第２の水晶発振器２０の印刷抵抗６と同様に、客先の要求を満たす出力波形が得られる抵抗値となるよう形成されている。
【００３５】
そして、印刷抵抗７は、基板１ａに設けられたビアホール（図示せず）を介してＩＣ３と接続すると共に、図５に示すように、基板１ａの裏面（下面）において、接続部１４によって出力端子１３に接続されている。
【００３６】
これにより、第３の水晶発振器３０では、製品完成後であっても印刷抵抗７をトリミングすることが可能となり、微調整が容易となるものである。
また、印刷抵抗７をパッケージ１の凹部内部ではなく、外部に設けることにより、凹部内部に印刷抵抗７用のスペースを必要とせず、レイアウトの変更もほとんど不要なため、一層小型のパッケージに適用可能となるものである。
【００３７】
［第３の実施の形態の効果］
第３の水晶発振器３０によれば、発振回路３からの信号を外部に出力する出力端子の前段にダンピング抵抗としての印刷抵抗７を備え、印刷抵抗７が、パッケージ１の底面を構成する基板１ａの裏面（下面）に形成されているので、製品完成後でも印刷抵抗７をトリミングして客先の要求に合うよう微調整することができ、利便性を向上させ、更に小型パッケージの製品にも適用することができる効果がある。
【産業上の利用可能性】
【００３８】
本発明は、客先の要望に合わせて波形を変更できる水晶発振器に適している。
【符号の説明】
【００３９】
１…パッケージ、  １ａ，１ｂ…基板、  ２…水晶片、  ３…発振回路（ＩＣ）、  ４…リッド、  ５…チップ抵抗、  ６，７…印刷抵抗、  １０…第１の水晶発振器、  １３…出力端子、  １４…  ２０…第２の水晶発振器、  ３０…第３の水晶発振器、  １３…出力端子、  １４…接続部、  ４０…水晶発振器、  ４１…ダンピング抵抗
【図１】
2020178259.tif 000003
【図２】
2020178259.tif 000004
【図３】
2020178259.tif 000005
【図４】
2020178259.tif 000006
【図５】
2020178259.tif 000007
【図６】
2020178259.tif 000008